(57)【特許請求の範囲】
【請求項１】
ボビンと、二つのコイルと、磁気コアとを有する複合ラインフィルタであって、
前記コイルは、軸方向において互いに離間された状態で、前記ボビンに巻回されており、
前記磁気コアは、前記軸方向に延びる巻芯部と、前記巻芯部の両端を連結する主磁路部と、前記軸方向と交差する方向に延びる副磁路部とを有しており、
前記ボビンは、前記巻芯部に取り付けられており、
前記副磁路部は、前記軸方向と直交する方向において前記主磁路部の一部と前記巻芯部との間に位置し、かつ前記軸方向において前記コイルの間に位置しており、
前記ボビンは、歯車を有しており、
前記歯車は、前記軸方向において前記コイルの間に位置しており、
前記複合ラインフィルタは、さらに、二つの仕切板を有し、
前記仕切板は、前記軸方向において、前記副磁路部の両脇に設けられ、且つ、前記コイルの間に位置しており、
前記歯車は、前記軸方向と直交する方向から見た場合に少なくとも部分的に前記仕切板と重なっている
複合ラインフィルタ。
【請求項２】
請求項１に記載の複合ラインフィルタであって、
前記歯車と前記副磁路部は、前記軸方向に沿って見た場合に部分的に重なっている
複合ラインフィルタ。
【請求項３】
請求項２に記載の複合ラインフィルタであって、
前記ボビンには、前記コイルの位置決めをする複数の鍔が形成されており、
前記鍔は、前記軸方向において内側に位置する二つの内側鍔を含んでおり、
前記軸方向において前記内側鍔の間に前記歯車が二つ形成されており、
前記副磁路部は、前記軸方向において前記歯車の間に位置しており、
前記歯車は、前記軸方向に沿って見た場合に互いに対向している
複合ラインフィルタ。
【請求項４】
請求項１から請求項３のいずれか一つに記載の複合ラインフィルタであって、
前記磁気コアは、一体に形成されており、
前記副磁路部は、前記主磁路部から前記巻芯部に向かって延びている
複合ラインフィルタ。
【請求項５】
請求項１に記載の複合ラインフィルタであって、
前記コイルの巻線の端部が接続されるピンを備える端子台を更に有しており、
前記仕切板は、前記端子台の一部である
複合ラインフィルタ。
【発明の詳細な説明】
【技術分野】
【０００１】
本発明は、複合ラインフィルタに関し、特に歯車を備えるボビンを有する複合ラインフィルタに関する。
【背景技術】
【０００２】
特許文献１に記載されたラインフィルタは、ボビンと、閉磁路磁心と、センター磁心と、端子台とを有している。ボビンは、二分割された巻枠からなり、閉磁路磁心の中央磁脚に取り付けられる。ボビンは、また、二つの外鍔部と、それらの間に位置する中鍔部とを有している。外鍔部の一方には歯車が設けられており、歯車に外力を与えることで、中央磁脚を軸としてボビンを回転させることができる。この回転を利用して、巻線がボビンに巻回される。二つの巻線が、二つの外鍔部の各々と中鍔部との間に夫々配置される。センター磁心は、中鍔部に設けられた貫通ガイド孔に挿入される。特許文献１のラインフィルタは、センター磁心を有することで、コモンモード及びノーマルモードの両モードに対応する複合ラインフィルタとして機能する。
【先行技術文献】
【特許文献】
【０００３】
【特許文献１】特開２００７−８０９５１号公報
【発明の概要】
【発明が解決しようとする課題】
【０００４】
特許文献１に記載されたラインフィルタの歯車は、外鍔部の軸方向外側に設けられており、ラインフィルタの小型化の妨げの一因となっている。
【０００５】
本発明は、軸方向の寸法を低減した複合ラインフィルタを提供することを目的とする。
【課題を解決するための手段】
【０００６】
本発明は、第１の複合ラインフィルタとして、ボビンと、二つのコイルと、磁気コアとを有する複合ラインフィルタであって、
前記コイルは、軸方向において互いに離間された状態で、前記ボビンに巻回されており、
前記磁気コアは、前記軸方向に延びる巻芯部と、前記巻芯部の両端を連結する主磁路部と、前記軸方向と交差する方向に延びる副磁路部とを有しており、
前記ボビンは、前記巻芯部に取り付けられており、
前記副磁路部は、前記軸方向と直交する方向において前記主磁路部の一部と前記巻芯部との間に位置し、かつ前記軸方向において前記コイルの間に位置しており、
前記ボビンは、歯車を有しており、
前記歯車は、前記軸方向において前記コイルの間に位置している
複合ラインフィルタを提供する。
【０００７】
本発明は、第２の複合ラインフィルタとして、第１の複合ラインフィルタであって、
さらに、二つの仕切板を有し、
前記仕切板は、前記軸方向において、前記副磁路部の両脇に設けられ、且つ、前記コイルの間に位置しており、
前記歯車は、前記軸方向と直交する方向から見た場合に少なくとも部分的に前記仕切板と重なっている
複合ラインフィルタを提供する。
【０００８】
本発明は、第３の複合ラインフィルタとして、第１又は第２の複合ラインフィルタであって、
前記歯車と前記副磁路部は、前記軸方向に沿って見た場合に部分的に重なっている
複合ラインフィルタを提供する。
【０００９】
本発明は、第４の複合ラインフィルタとして、第３の複合ラインフィルタであって、
前記ボビンには、前記コイルの位置決めをする複数の鍔が形成されており、
前記鍔は、前記軸方向において内側に位置する二つの内側鍔を含んでおり、
前記軸方向において前記内側鍔の間に前記歯車が二つ形成されており、
前記副磁路部は、前記軸方向において前記歯車の間に位置しており、
前記歯車は、前記軸方向に沿って見た場合に互いに対向している
複合ラインフィルタを提供する。
【００１０】
本発明は、第５の複合ラインフィルタとして、第１から第４の複合ラインフィルタのうちのいずれか一つであって、
前記磁気コアは、一体に形成されており、
前記副磁路部は、前記主磁路部から前記巻芯部に向かって延びている
複合ラインフィルタを提供する。
【００１１】
本発明は、第６の複合ラインフィルタとして、第２の複合ラインフィルタであって、
前記コイルの巻線の端部が接続されるピンを備える端子台を更に有しており、
前記仕切板は、前記端子台の一部である
複合ラインフィルタを提供する。
【発明の効果】
【００１２】
ボビンの歯車は、軸方向において、ボビンに巻回されたコイルの間に位置している。副磁路部の両脇に設けられた仕切板もまた、軸方向においてコイルの間に位置している。軸方向と直交する方向に見た場合、歯車は仕切板と少なくとも部分的に重なっている。これにより、軸方向において歯車専用のスペースを不要とし、複合ラインフィルタの軸方向の寸法を小さくすることができる。
【図面の簡単な説明】
【００１３】
【図１】本発明の第１の実施の形態による複合ラインフィルタを示す斜視図である。
【図２】図１の複合ラインフィルタを示す平面図である。
【図３】図２の複合ラインフィルタをＡ−Ａ線に沿って示す断面図である。但し、コイルは省略されている。
【図４】図１の複合ラインフィルタを示す底面図である。
【図５】図１の複合ラインフィルタを示す右側面図である。
【図６】図１の複合ラインフィルタに含まれる磁気コアを示す斜視図である。
【図７】図１の複合ラインフィルタに含まれるボビンを示す斜視図である。
【図８】図１の複合ラインフィルタに含まれる端子台を示す斜視図である。
【図９】本発明の第２の実施の形態による複合ラインフィルタを示す斜視図である。
【図１０】図９の複合ラインフィルタを示す平面図である。
【図１１】図１０の複合ラインフィルタをＢ−Ｂ線に沿って示す断面図である。但し、コイルは省略されている。
【図１２】図９の複合ラインフィルタを示す底面図である。
【図１３】図９の複合ラインフィルタを示す右側面図である。
【図１４】図９の複合ラインフィルタに含まれる磁気コアを示す斜視図である。
【図１５】図９の複合ラインフィルタに含まれる端子台を示す斜視図である。
【発明を実施するための形態】
【００１４】
（第１の実施の形態）
図１から図５を参照すると、本発明の第１の実施の形態に係る複合ラインフィルタ１０は、ボビン１００と、二つのコイル２１０，２２０と、磁気コア３００と、端子台４００とを有している。コイル２１０、２２０は、ボビン１００に巻回されている。詳しくは、コイル２１０，２２０は、軸方向において互いに離間された状態で、ボビン１００に巻回されている。ボビン１００は、磁気コア３００に取り付けられており、磁気コア３００は、端子台４００に取り付けられている。
【００１５】
図６に示されるように、磁気コア３００は、中脚（巻芯部）３１０と、二つの外脚３２０と、二つの連結部３３０と、二つの突起部３４０とを有している。本実施の形態において、中脚３１０、外脚３２０、連結部３３０及び突起部３４０は、一体に形成されている。但し、本発明はこれに限定されず、磁気コア３００は、複数の部品を接合して構成されたものであってもよい。しかしながら、一体に形成された磁気コア３００を用いることで、部品点数及び組立工程数を削減するとともに、組立精度に依存する品質低下を回避することができる。
【００１６】
図６から理解されるように、中脚３１０は、略円柱形状を有し（図３参照）、所定方向（Ｘ方向、軸方向）に延びている。外脚３２０は、両端部を除いて偏平の四角柱形状を有し、中脚３１０と平行に配置されてＸ方向に延びている。外脚３２０と中脚３１０とは、所定方向と直交する方向（Ｙ方向）に所定の距離だけ離れている。連結部３３０は、中央部がくびれた四角柱形状を有し、Ｙ方向に延びている。換言すると、連結部３３０は、図５に示されるように、Ｙ方向において、両端部の高さが最も高く、中央部に向かって次第に低くなる形状を有している。なお、高さ方向は、Ｘ方向及びＹ方向の双方と直交するＺ方向である。
【００１７】
図６に示されるように、連結部３３０は、二つの外脚３２０と中脚３１０の両端部を夫々連結している。詳しくは、一方の連結部３３０は、各外脚３２０の一方の端部と中脚３１０の一方の端部とを連結し、他方の連結部３３０は、各外脚３２０の他方の端部と中脚３１０の他方の端部とを連結している。こうして、連結部３３０と外脚３２０とは相互に連続し、中脚３１０の両端を二つの経路で連結する主磁路部を形成している。なお、中脚３１０、外脚３２０及び連結部３３０が上記のように連結された磁気コア３００は、日の字型コアと呼ばれることがある。
【００１８】
図１、図２、図４及び図６から理解されるように、突起部３４０は、外脚３２０のＸ方向における中央部からＸ方向と交差する方向に突き出している。本実施の形態では、突起部３４０は、外脚３２０からＹ方向に沿って中脚３１０に向かって突き出している。二つの外脚３２０から突き出す二つの突起部３４０は、互いに向き合う方向（＋Ｙ方向及び−Ｙ方向）へ突き出している。突起部３４０は、外脚３２０から中脚３１０に向かって突き出すことにより副磁路部を形成する。中脚３１０は、各突起部３４０の先端に対向する対向部３１２を有している。突起部３４０の先端と中脚３１０の対向部３１２との間には所定のギャップ（隙間）が設けられている。本実施の形態では、突起部３４０は、外脚３２０から中脚３１０に向かって突き出しているが、突起部３４０は、中脚３１０から外脚３２０に向かって突き出すように形成されてもよい。但し、中脚３１０の太さに比べると外脚３２０の厚みの方が設計の自由度が高いため、突起部３４０を外脚３２０に設けた方が、突起部３４０の突き出し寸法を大きくすることができるという利点がある。また、突起部３４０を中脚３１０に設けた場合は、ボビン１００を軸方向に二分割しなければ回転不能になるため、部品点数の増加を招く。
【００１９】
図７に示されるように、ボビン１００は、円筒部１１０と、複数の鍔部１２０と、二つの歯車１３０とを有している。円筒部１１０は、所定方向（Ｘ方向、軸方向）に延びる中心軸を有している。円筒部１１０の外周面上にコイル２１０，２２０が巻回されることにより、コイル２１０の軸は円筒部１１０の中心軸に一致する。鍔部１２０は、中心軸に直交する径方向において、円筒部１１０の外周面から外側へ向かって広がっている。鍔部１２０には、その目的に応じて、いくつかの切り欠きが形成されている。図１、図２及び図４から理解されるように、Ｘ方向において中央寄りの六つの鍔部１２０は、円筒部１１０に巻回されるコイル２１０，２２０のＸ方向の位置を規定する。特に、Ｘ方向において最も内側に位置する二つの鍔部１２０、即ち、内側鍔１２２は、Ｘ方向において、コイル２１０，２２０の間の距離を規定する。
【００２０】
図７に示されるように、二つの歯車１３０は、内側鍔１２２の互いに対向する面上に形成されている。換言すると、歯車１３０は、Ｘ方向において、内側鍔１２２の間に位置する。二つの歯車１３０は、同一形状を有し、Ｘ軸に垂直な面に関して、鏡面対称となるように配置されている。図１、図２及び図４から理解されるように、ボビン１００にコイル２１０，２２０が巻回された状態で、歯車１３０は、コイル２１０，２２０の間に位置する。
【００２１】
図７から理解されるように、ボビン１００は、二つの巻枠部品１０２で構成されている。各巻枠部品１０２は、中心軸を含む平面でボビン１００を二分割したものに略等しい。二つの巻枠部品１０２は、同一形状に形成されてもよいし、異なる形状部分を含んでいてもよい。いずれにしても、各巻枠部品１０２は、ハーフパイプ状の円筒部１１０の一部を含んでいる。二つの巻枠部品１０２の間に磁気コア３００の中脚３１０を挟むようにこれら巻枠部品１０２を組み合わせ、互いに固定することによって、ボビン１００は、磁気コア３００の中脚３１０に取り付けられる。ボビン１００は、中脚３１０に取り付けられた状態で、中脚３１０の周りを回転することが可能である。
【００２２】
図８から理解されるように、端子台４００は、基部４１０と、二対の壁部４２０と、二対のピン４３０（図４参照）とを有している。各壁部４２０は、主部４２２と仕切板４２４とを有している。このように、本実施の形態では、仕切板４２４は、端子台４００の一部である。基部４１０は、概ね四角形の枠形状を有している。壁部４２０は、基部４１０のＹ方向において互いに対向する二つの内側縁に沿って設けられ、基部４１０から上方（＋Ｚ方向）へ突き出している。詳しくは、壁部４２０の主部４２２は、基部４１０の内側縁に沿って形成されている。対をなす壁部４２０の主部４２２は、互いに異なる基部４１０の内側縁に形成され、Ｙ方向において互いに対向している。Ｘ方向に並ぶ主部４２２は、互いに異なる壁部４２０の対に属する。Ｘ方向に並ぶ主部４２２は、所定の距離だけ互いに離れている。仕切板４２４は、Ｘ方向に並ぶ二つの主部４２２のＸ方向における内側の端部に夫々設けられている。対をなす壁部４２０の仕切板４２４は、互いに向き合うように、Ｙ方向に沿って突き出している。基部４１０と壁部４２０とは、樹脂を用いて一体に成型することができる。ピン４３０は、基部４１０の四隅付近に設けられ、基部４１０から下方（−Ｚ方向）に向かって突き出している。対をなすピン４３０は、Ｙ方向に並んでいる。ピン４３０は、金属製であり、インサート成型により基部４１０及び壁部４２０と一体に成型することができる。図４に示されるように、ピン４３０には、コイル２１０，２２０を構成する巻線の端部が巻きつけられ接続される。各コイル２１０，２２０の巻線の端部は対をなすピン４３０に夫々接続される。
【００２３】
本実施の形態の複合ラインフィルタ１０は、概略、次の工程により製造される。まず、図７のボビン１００を図６の磁気コア３００に取り付ける。次に、ボビン１００が取り付けられた磁気コア３００を図８の端子台４００に取り付ける。次に、ボビン１００にコイル２１０、２２０の巻線を巻回し、その端部を端子台４００のピン４３０に固定（接続）する。こうして、複合ラインフィルタ１０が完成する。
【００２４】
コイル２１０，２２０の巻線をボビン１００に巻回す工程において、歯車１３０が利用される。詳しくは、図示しない駆動モータ等により駆動される駆動歯車の歯（図示せず）を歯車１３０の歯と噛み合わせ、中脚３１０を軸としてボビン１００を回転させる。本実施の形態において、二つの歯車１３０は、単一の駆動歯車によって駆動される。詳しくは、二つの歯車１３０の歯幅（Ｘ方向の厚み）は、駆動歯車の歯幅に比べてかなり狭い。そして、二つの歯車１３０は、駆動歯車の歯幅方向（Ｘ方向）の両端部において、駆動歯車と噛み合うよう配置される。この構成により、駆動歯車の歯幅に対応する（同程度のサイズの）歯幅の歯車をボビン１００に設けた場合と同等の駆動安定性と信頼性を実現できる。
【００２５】
図７から理解されるように、ボビン１００単体において、二つの歯車１３０の間には何も存在しない。一方、図１、図２及び図４に示されるように、ボビン１００が磁気コア３００に取り付けられた状態で、歯車１３０の間には、突起部３４０が配置される。即ち、本実施の形態では、Ｘ方向において、駆動歯車（図示せず）の歯幅に対応する範囲内に、その駆動歯車と噛み合う歯車１３０のみならず突起部３４０が設けられている。これにより、本実施の形態では、駆動歯車の歯幅に対応する歯幅を持つ歯車をボビン１００に設けた場合に比べて、軸方向のサイズを小さくすることができる。
【００２６】
図１から図４までの図から理解されるように、本実施の形態では、Ｘ方向に沿って見た場合に、歯車１３０と突起部３４０とは部分的に重なっている。即ち、歯車１３０の径は、突起部３４０の存在によって制限されることはない。そして、歯車１３０の径を大きくすることで、小さな駆動力でも巻線をしっかりと巻き取ることができる。また、小さな駆動力で巻線を巻き取れるので、歯車１３０に要求される強度も小さくて済む。
【００２７】
図１、図２及び図４を参照すると、突起部３４０は、Ｘ方向において、コイル２１０，２２０の間に位置し、且つ歯車１３０の間に位置している。また、突起部３４０は、Ｙ方向において、外脚３２０の一部と中脚３１０の対向部３１２（図６参照）との間に位置している。仕切板４２４は、Ｘ方向において、突起部３４０の両脇に設けられており、且つコイル２１０，２２０の間に位置している。歯車１３０もまた、Ｘ方向において、コイル２１０，２２０の間に位置している。歯車１３０は、また、Ｘ方向において、突起部３４０の外側に位置している。つまり、各歯車１３０は、Ｘ方向において、突起部３４０と内側鍔１２２のいずれか一方との間に位置している。そして、歯車１３０は、Ｙ方向に沿って見た場合、少なくとも部分的に仕切板４２４と重なっている。ここで、仕切板４２４は、コイル２１０，２２０と突起部３４０との間に必要な絶縁距離（沿面距離）を確保するためのものであり、必要不可欠なものである。歯車１３０の少なくとも一部は、この仕切板４２４と重なるように配置されているため、その部分に関しては、Ｘ方向において設置のための特別なスペースを必要としない。よって、本実施の形態では、外鍔部の一方に歯車を設ける特許文献１のラインフィルタに比べて、軸方向の寸法を小さくすることができる。
【００２８】
（第２の実施の形態）
図９から図１３を参照すると、本発明の第２の実施の形態に係る複合ラインフィルタ１０Ａは、第１の実施の形態に係る複合ラインフィルタ１０における磁気コア３００の外脚３２０の一方と連結部３３０の一部を取り除いたような構成を有している。以下、複合ラインフィルタ１０Ａの複合ラインフィルタ１０と異なる点ついて説明する。
【００２９】
本実施の形態の複合ラインフィルタ１０Ａの磁気コア３００Ａは、図１４に示されるように、中脚（巻芯部）３１０Ａと、一つ外脚３２０Ａと、二つの連結部３３０Ａと、一つ突起部３４０Ａとを有している。連結部３３０Ａと外脚３２０Ａとは相互に連続しており、中脚３１０Ａの両端を連結して主磁路部を形成している。中脚３１０Ａ、外脚３２０Ａ及び連結部３３０Ａがこのように連結された磁気コア３００Ａは、ロの字型コアと呼ばれることがある。突起部３４０Ａは、外脚３２０ＡのＸ方向における中央部から中脚３１０Ａに向かって、Ｙ方向に沿って突き出している。第１の実施の形態と同様に、突起部３４０Ａの先端と中脚３１０Ａの対向部３１２Ａとの間には所定のギャップ（隙間）が設けられている。本実施の形態において、磁気コア３００Ａは、図１３から理解されるように、上下対称の形状に形成されている。
【００３０】
図１５を参照すると、端子台４００Ａは、基部４１０Ａと、二つの壁部４２０Ａと、二対のピン４３０Ａ（図１２参照）とを有している。各壁部４２０Ａは、主部４２２Ａと仕切板４２４Ａとを有している。基部４１０Ａは、概ね四角形の枠部４１２と、枠部４１２の中央に設けられた梁部４１４とを有している。枠部４１２の上面の一部には、図１３に示されるように、磁気コア３００Ａの形状に対応する傾斜が設けられている。また、図１５に示されるように、梁部４１４には、ボビン１００の歯車１３０（図７及び図１１参照）の一部を収容する凹所４１６が形成されている。各壁部４２０Ａは、基部４１０ＡのＹ方向において互いに対向する二つの内側縁の一方に沿って設けられている。二つの壁部４２０Ａの主部４２２Ａは、梁部４１４を挟んでＸ方向に並んでおり、基部４１０Ａから上方（＋Ｚ方向）へ突き出している。また、二つの壁部４２０Ａの仕切板４２４Ａは、二つの主部４２２のＸ方向における内側の端部からＹ方向に沿って突き出している。ピン４３０Ａは、基部４１０Ａの四隅から若干離れた位置に設けられている。
【００３１】
本実施の形態においても、図７に示されるボビン１００を用い、図９及び図１０に示されるように、歯車１３０の間に突起部３４０Ａを配置するようにしたので、駆動歯車の歯幅に対応する歯幅を持つ歯車をボビン１００に設けた場合に比べて、軸方向のサイズを小さくすることができる。
【００３２】
また、本実施の形態においても、図９から図１１までの図から理解されるように、Ｘ方向に沿って見た場合に、歯車１３０と突起部３４０Ａとは部分的に重なっている。よって、歯車１３０の径は、突起部３４０Ａの存在によって制限されず、歯車１３０の径を大きくすることで、小さな駆動力でも巻線をしっかりと巻き取ることができる。
【００３３】
また、図９及び図１０から理解されるように、本実施の形態においても、突起部３４０Ａは、Ｘ方向において、コイル２１０，２２０の間であって、歯車１３０の間に位置している。また、突起部３４０Ａは、Ｙ方向において、外脚３２０Ａの一部と中脚３１０Ａの対向部３１２Ａとの間に位置している。仕切板４２４Ａは、Ｘ方向において、突起部３４０Ａの両脇に設けられており、且つコイル２１０，２２０の間に位置している。歯車１３０もまた、Ｘ方向において、コイル２１０，２２０の間に位置している。つまり、各歯車１３０は、Ｘ方向において、突起部３４０Ａと内側鍔１２２との間に位置している。そして、歯車１３０は、Ｙ方向に沿って見た場合、少なくとも部分的に仕切板４２４Ａと重なっている。本実施の形態においても、第１の実施の形態と同様に、歯車１３０の少なくとも一部は、仕切板４２４Ａと重なっているため、その部分に関しては、Ｘ方向において、設置のための特別なスペースを必要としない。よって、本実施の形態の複合ラインフィルタ１０Ａは、外鍔部に歯車を設ける特許文献１のラインフィルタに比べて、軸方向の寸法を小さくすることができる。
【００３４】
以上、本発明について実施の形態を掲げて具体的に説明してきたが、本発明はこれに限定されるものではなく、種々の変形、変更が可能である。例えば、上記実施の形態では、歯車１３０を二つ設けたが、必要な強度が得られるならば、いずれか一方であってもよい。また、磁気コア３００，３００Ａは所定の特性を実現できる限りにおいて、その形状を変更することが可能である。
【符号の説明】
【００３５】
１０，１０Ａ    複合ラインフィルタ
１００    ボビン
１０２    巻枠部品
１１０    円筒部
１２０    鍔部
１２２    内側鍔
１３０    歯車
２１０，２２０    コイル
３００，３００Ａ    磁気コア
３１０，３１０Ａ    中脚（巻芯部）
３１２，３１２Ａ    対向部
３２０，３２０Ａ    外脚
３３０，３３０Ａ    連結部
３４０，３４０Ａ    突起部
４００，４００Ａ    端子台
４１０，４１０Ａ    基部
４１２    枠部
４１４    梁部
４１６    凹所
４２０，４２０Ａ    壁部
４２２，４２２Ａ    主部
４２４，４２４Ａ    仕切板
４３０，４３０Ａ    ピン
【図１】
0006543225.tif 000002
【図２】
0006543225.tif 000003
【図３】
0006543225.tif 000004
【図４】
0006543225.tif 000005
【図５】
0006543225.tif 000006
【図６】
0006543225.tif 000007
【図７】
0006543225.tif 000008
【図８】
0006543225.tif 000009
【図９】
0006543225.tif 000010
【図１０】
0006543225.tif 000011
【図１１】
0006543225.tif 000012
【図１２】
0006543225.tif 000013
【図１３】
0006543225.tif 000014
【図１４】
0006543225.tif 000015
【図１５】
0006543225.tif 000016